(57)【特許請求の範囲】
【請求項１】
手を添えて操作する操作部に貼り付けられる操作シールであって、
表面に前記手の指から力が加えられる第１の方向と交差する方向に設けられた第１の傾斜面と、前記第１の方向と反対方向に前記手の指から力が加えられる第２の方向と交差する方向に設けられた第２の傾斜面とを有し、防滑性樹脂により形成された可撓性を有するシール基材と、
前記シール基材の裏面に設けられた接着層と、
前記接着層を被覆する剥離シートと
を備え、
前記第１の傾斜面及び前記第２の傾斜面は、前記手の指の厚みと同程度の高さまで形成され、少なくとも一部において、前記表面と前記第１の傾斜面の成す角度、及び前記表面と前記第２の傾斜面の成す角度が前記力が加わる方向に次第に大きくなる領域を有することを特徴とする操作シール。
【請求項２】
前記表面と前記第１の傾斜面はなだらかに接続され、前記表面と前記第２の傾斜面はなだらかに接続されていることを特徴とする請求項１記載の操作シール。
【請求項３】
前記シール基材及び前記接着層は透明または半透明であることを特徴とする請求項１又は２記載の操作シール。
【発明の詳細な説明】
【技術分野】
【０００１】
本発明は、操作部材を操作するための操作シールに関するものである。
【背景技術】
【０００２】
従来、表面に防滑性樹脂皮膜が設けられ滑り止めが必要な部分に粘着剤により貼り付ける滑り止めテープが存在する（例えば、特許文献１参照）。この滑り止めテープを階段または通路に設置されている手摺りに貼り付けた場合には、高齢、病気または障害などによって握力が低下している人でも滑り止め効果によって確実に手摺りを握ることができ、階段昇降や通路の歩行の際の転倒の危険性を低減することができる。
【先行技術文献】
【特許文献】
【０００３】
【特許文献１】特開２００９−２２６５９３号公報
【発明の概要】
【発明が解決しようとする課題】
【０００４】
ところで、高齢者、病気または障害を有する人は、握力が低下するのみならず手や指を動かすことが困難な場合があり、ドアノブ等の回転操作する操作部に上述の滑り止めテープを用いた場合には、表面が平面に形成されていることから、ドアノブに対して力を加えることができずドアノブの操作を行うことができない場合があった。また、上述の滑り止めテープは滑り止めの機能を有するが、ポインティングデバイスのボタン等の上下方向に操作する操作部に対しては、操作を可能とする機能を有していなかった。
【０００５】
本発明の目的は、操作部を小さい力で容易に操作することができる操作シールを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の操作シール（３０）は、手を添えて操作する操作部（１０）に貼り付けられる操作シールであって、表面（３４ａ）に前記手の指から力が加えられる第１の方向と交差する方向に設けられた第１の傾斜面（３４ｂ）と、前記第１の方向と反対方向に前記手の指から力が加えられる第２の方向と交差する方向に設けられた第２の傾斜面（３４ｂ´）とを有し、防滑性樹脂により形成された可撓性を有するシール基材（３４）と、前記シール基材の裏面に設けられた接着層（３６）と、前記接着層を被覆する剥離シート（３８）とを備え、前記第１の傾斜面及び前記第２の傾斜面は、前記手の指の厚みと同程度の高さまで形成され、少なくとも一部において、前記表面と前記第１の傾斜面の成す角度、及び前記表面と前記第２の傾斜面の成す角度が前記力が加わる方向に次第に大きくなる領域を有することを特徴とする。
【０００９】
また本発明の操作シール（３０）は、前記表面（３４ａ）と前記第１の傾斜面（３４ｂ）はなだらかに接続され、前記表面（３４ａ）と前記第２の傾斜面（３４ｂ´）はなだらかに接続されていることを特徴とする。
【００１０】
また本発明の操作シール（２）は、前記シール基材（４）及び前記接着層（６）が透明または半透明であることを特徴とする。
【発明の効果】
【００１４】
本発明によれば、操作シールを操作部に貼り付けることにより、操作部を小さい力で容易に操作することができる。
【図面の簡単な説明】
【００１５】
【図１】実施の形態に係る操作シールを示す斜視図である。
【図２】実施の形態に係る操作シールの平面図及び平面図のＡ−Ａ断面図である。
【図３】実施の形態に係る操作シールが貼り付けられたポインティングデバイスを示す斜視図である。
【図４】実施の形態に係る操作シールが貼り付けられたドアノブを示す斜視図である。
【図５】実施の形態に係る操作シールを示す斜視図である。
【図６】実施の形態に係る操作シールの平面図及び平面図のＢ−Ｂ断面図である。
【図７】実施の形態に係る操作シールを示す斜視図である。
【図８】実施の形態に係る操作シールの平面図及び平面図のＣ−Ｃ断面図である。
【発明を実施するための形態】
【００１６】
以下、図面を参照して、本発明の実施の形態に係る操作シールについて説明する。図１は、実施の形態に係る操作シールを示す斜視図である。操作シール２は、平面視矩形状であり、図中において矢印で示す力が加えられる方向の幅に比較して力が加えられる方向に直交する方向の幅が大きく形成されている。ここで操作シール２は、可撓性を有する樹脂により薄いシート状に形成されたシール基材４、シール基材４の裏面に設けられた接着層６及び接着層６を被覆する剥離シート８により構成されている。
【００１７】
可撓性を有する樹脂としては、ポリウレタン系樹脂、アクリル系樹脂、ポリオレフィン系樹脂、ゴム系樹脂、シリコン系樹脂などの防滑性樹脂が用いられており、透明または半透明のものが好ましい。
【００１８】
シール基材４の表面４ａには、傾斜面４ｂが形成されている。ここで傾斜面４ｂは、シール基材４の表面４ａにおいて、力が加えられる方向と直交する方向（位置）に形成されており、図２（ａ）の平面図、及び図２（ｂ）のＡ−Ａ断面図に示すように表面４ａと傾斜面４ｂとはなだらかに接続されている。
【００１９】
次に、図３を参照して実施の形態に係る操作シールをポインティングデバイス（例えば、マウス）に用いた場合について説明する。図３は、操作シール２が貼り付けられたマウスを示す斜傾図である。図３に示すように、マウス１０の上面には２つの略平面の操作ボタン１０ａ，１０ｂが設けられ、操作ボタン１０ａ，１０ｂの上面には剥離シート８を剥がした操作シール２がそれぞれ貼り付けられている。ここで操作シール２は、操作者１２がマウス１０に手を添えた状態で指を左右に動かして力を加える方向に対して傾斜面４ｂが直交するように貼り付けることが好ましい。なお、この実施の形態においては、操作ボタン１０ａに貼り付けられた操作シール４の傾斜面４ｂと操作ボタン１０ｂに貼り付けられた操作シール４の傾斜面４ｂとが対向するように貼り付けられている。
【００２０】
この状態で操作者が指をシール基材４の表面４ａに沿って左に移動させた場合、操作ボタン１０ａに貼り付けられている操作シール２の傾斜面４ｂには指の左方向への移動による力が加えられる。ここで、傾斜面４ｂは防滑性を有するため指の移動による力が確実に加えられる。そして、操作シール２の傾斜面４ｂに加えられた左方向の力は表面４ａに略垂直な方向の力に変換されることから操作ボタン１０ａを極めて小さな、指の左方向の移動によってクリック操作することができる。なお、操作ボタン１０ｂも操作ボタン１０ａと同様に極めて小さな、指の右方向の移動によってクリック操作することができる。
【００２１】
次に、図４を参照して実施の形態に係る操作シールをドアノブに用いた場合について説明する。図４は、操作シール２が貼り付けられたドアノブを示す斜傾図である。ドアノブ２０の把持部の周面２０ａには剥離シート８を剥がした操作シール２が貼り付けられている。操作シール２は可撓性を有するためドアノブ２０の周面２０ａに沿って貼り付けられている。操作シール２は、操作者がドアノブ２０に手１２を添えてドアノブ２０を回転させる方向、即ち力を加える方向（図中矢印方向）に対して傾斜面４ｂが直交するように貼り付けられることが好ましい。
【００２２】
この状態で操作者がドアノブ２０に手１２を添えて矢印方向にドアノブ２０を回転させる場合、操作シール２の傾斜面４ｂに人差し指が掛かり人差し指の移動による力が加えられる。即ち、傾斜面４ｂは防滑性を有するため人差し指の移動による力が確実に伝達されドアノブ２０に回転方向の力が働く。従って、操作者は極めて小さな力でドアノブ２０を回転操作することが可能となる。
【００２３】
本発明の実施の形態に係る操作シールによれば、操作シールを操作部に貼り付けることにより、操作部を極めて小さい力で容易に操作することができる。また、操作シールは、力が加えられる方向の幅に比較して力が加えられる方向に直交する方向の幅が大きく形成されているため、操作者の指の小さな動きによる力が傾斜面に確実に伝達され、操作部をより容易に操作することができる。また、操作シールにおけるシール基材の表面と傾斜面とがなだらかに接続されているため、傾斜面のふくらみを目立たなくすることができる。また、操作シールにおけるシール基材及び粘着層が透明または半透明であるため、操作部に用いた場合に操作シールを目立たなくすることができる。従って、操作部の外観デザインを損なうことなく操作シールを用いることができる。
【００２４】
なお、上述の実施の形態においては、シール基材４の表面４ａに、力が加えられる方向と直交する方向に１つの傾斜面４ｂを形成しているが（図１参照）、傾斜面４ｂの反対側に傾斜面をさらに形成するようにしてもよい。即ち、操作シール３０は、図５に示すようにシール基材３４、接着層３６及び剥離シート３８により構成され、シール基材３４の表面３４ａには、力が加えられる方向（実線）と直交する方向に傾斜面３４ｂが形成され、さらに実線で示す力が加えられる方向と反対方向（破線）の力が加えられる方向と直交する方向に傾斜面３４ｂ´が形成されている。また、図６（ａ）の平面図、及び図６（ｂ）のＢ−Ｂ断面図に示すように表面３４ａと傾斜面３４ｂ，３４ｂ´とはそれぞれなだらかに接続される。従って、操作シール３０を操作部に用いることによって、図５の実線で示す方向だけでなく破線で示す方向に操作者が力を加える場合にも操作部を容易に操作することが可能となる。
【００２５】
また、上述の実施の形態において、操作シール４０は、図７に示すように、シール基材４４、接着層４６及び剥離シート４８により構成されており、シール基材４４の傾斜面４４ｂは、少なくとも一部において表面４４ａと傾斜面４４ｂの成す角度が力が加わる方向（図中矢印方向）に次第に大きくなる領域が形成されている。これにより、操作者が指を横方向、即ち表面４４ａに略平行な方向に移動させた場合、傾斜面４４ｂに指が引っ掛かり易くなり指の小さな横方向の動きを確実に上下方向の動きに変換することができる。
【００２６】
また、上述の実施の形態においては、操作シール２は平面視矩形状であるが矩形以外の形状であってもよい。例えば図８（ａ）の平面図、及び図８（ｂ）のＣ−Ｃ断面図に示すように、操作シール５０がシール基材５４、接着層５６及び剥離シート５８により構成され、平面視円形状であってもよい。更に操作シールは円形以外の平面視形状であってもよい。
【００２７】
また、上述の実施の形態においては、操作シール２をマウス１０及びドアノブ２０に用いているが、リモコンスイッチ、家電スイッチ、家庭用電気スイッチ、ナースコールボタン、ドアフォンボタン等の操作部に用いてもよい。
【符号の説明】
【００２８】
２，３０，４０，５０…操作シール、４，３４，４４，５４…シール基材、４ａ，３４ａ，４４ａ，５４ａ…表面、４ｂ，３４ｂ，４４ｂ，５４ｂ…傾斜面、６，３６，４６，５６…接着層、８，３８，４８，５８…剥離シート。
【図１】
0005530979.tif 000002
【図２】
0005530979.tif 000003
【図３】
0005530979.tif 000004
【図４】
0005530979.tif 000005
【図５】
0005530979.tif 000006
【図６】
0005530979.tif 000007
【図７】
0005530979.tif 000008
【図８】
0005530979.tif 000009